【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
遠心分離機を操作する方法であって、前記方法は、
遠心分離機動作のワークフロー図を表示することであって、前記ワークフロー図は、少なくとも装填ステップ指標、運転ステップ指標、および除去ステップ指標を含む、ことを含み、
前記装填ステップ指標が強調表示され、前記遠心分離機のロータが第１の速度で回転している間に、サンプルを前記遠心分離機の前記ロータの中へ受け取ることと、
前記運転ステップ指標が強調表示されている間に、第２の速度で前記ロータを回転させることと、
前記除去ステップ指標が強調表示され、前記ロータが第３の速度で回転している間に、前記ロータからサンプルを除去することと
を特徴とする、方法。
【請求項２】
強調表示することは、照明、色の区別、および点滅速度変動のうちの１つを伴う、請求項１に記載の方法。
【請求項３】
前記ステップ指標は、ゾーン遠心分離のステップに対応する、請求項１に記載の方法。
【請求項４】
前記ロータは、チャンバの中に配置され、前記チャンバは、アクセスドアを含み、サンプルを前記ロータの中へ受け取ることは、前記ロータが回転している間、前記アクセスドアを開いた状態にすることを含む、請求項１に記載の方法。
【請求項５】
前記ロータの中への前記サンプルの受け取り中に、ユーザが、前記サンプルを前記ロータの中へ手動で装填する、請求項４に記載の方法。
【請求項６】
前記アクセスドアが開いており、前記ロータが回転している間に、可聴警告を起動することをさらに含む、請求項４に記載の方法。
【請求項７】
前記ロータは、チャンバの中に配置され、前記チャンバは、アクセスドアを含み、第２の速度で前記ロータを回転させる前記ステップは、前記ロータが前記第２の速度で回転している間、前記アクセスドアを施錠した状態にすることを含み、前記第２の速度は、前記第１の速度よりも速い、請求項１に記載の方法。
【請求項８】
前記ロータは、チャンバの中に配置され、前記チャンバは、アクセスドアを含み、前記ロータからサンプルを除去することは、前記ロータが前記第３の速度で回転している間、前記アクセスドアを開いた状態にすることを含む、請求項１に記載の方法。
【請求項９】
前記第１の速度および前記第３の速度は、３，０００ｒｐｍ以下である、請求項１に記載の方法。
【請求項１０】
第２の速度で前記ロータを回転させることは、真空下で行われる、請求項１に記載の方法。
【請求項１１】
ゾーン遠心分離動作を行うための遠心分離デバイス（１００）であって、前記遠心分離デバイス（１００）は、
空洞を有するゾーンロータ（１０６）であって、前記ゾーンロータ（１０６）は、サンプルを前記空洞内に含まれている密度勾配上へ受け取るように構成されている、ゾーンロータ（１０６）と、
ユーザインターフェースを表示するように適合されている表示デバイス（１３０）と、
処理デバイス（１２０）であって、前記処理デバイス（１２０）は、
前記ゾーンロータ（１０６）の回転を制御して、装填モード、運転モード、および除去モードで前記ゾーンロータ（１０６）を動作させる
ように適合されている、処理デバイス（１２０）と
を備え、前記処理デバイス（１２０）は、前記表示デバイス（１３０）を用いてユーザインターフェースを生成するように適合され、前記ユーザインターフェースは、前記ゾーンロータ（１０６）が前記装填モードで動作し、前記ゾーンロータ（１０６）が第１の速度で回転しているときに装填ステップ指標（２１２ｂ）を表示し、前記ゾーンロータ（１０６）が前記運転モードで動作し、前記ゾーンロータ（１０６）が第２の速度で回転しているときに運転ステップ指標（２１２ｃ）を表示し、前記ゾーンロータ（１０６）が前記除去モードで動作し、前記ゾーンロータ（１０６）が第３の速度で回転しているときに除去ステップ指標（２１２ｂ）を表示することを特徴とする、遠心分離デバイス。
【請求項１２】
前記第２の速度は、前記第１の速度よりも速い、請求項１１に記載の遠心分離デバイス。
【請求項１３】
ハンドヘルド表示デバイスと、
ハンドヘルド処理デバイスであって、前記ハンドヘルド処理デバイスは、前記遠心分離デバイスの状態を識別するハンドヘルドユーザインターフェースを前記ハンドヘルド表示デバイス上で生成するように動作する、ハンドヘルド処理デバイスと
をさらに含む、請求項１１に記載の遠心分離デバイス。
【請求項１４】
前記ハンドヘルドユーザインターフェースは、ユーザによって入力されるコマンドを受信するように適合され、前記ハンドヘルドコンピューティングデバイスは、前記遠心分離デバイスと通信し、前記コマンドに従って前記遠心分離デバイスを制御する、請求項１３に記載の遠心分離デバイス。
【請求項１５】
前記遠心分離デバイスは、複数の動作モードで動作し、前記ハンドヘルドコンピューティングデバイスによる前記遠心分離デバイスの制御は、現在の動作モードに基づいて制限される、請求項１４に記載の遠心分離デバイス。
【請求項１６】
前記ハンドヘルドコンピューティングデバイスによる前記遠心分離デバイスの制御は、前記遠心分離機がロータアクセス可能動作モードであるときに制限される、請求項１５に記載の遠心分離デバイス。
【請求項１７】
前記ハンドヘルドコンピューティングデバイスによる前記遠心分離デバイスの制御は、前記遠心分離機がゾーン遠心分離動作モードで動作しているときに制限される、請求項１５に記載の遠心分離デバイス。
【請求項１８】
前記ハンドヘルドユーザインターフェースは、前記ハンドヘルドコンピューティングデバイスによる前記遠心分離機の制御が、前記現在の動作モードに基づいて制限されていることをさらに示す、請求項１５に記載の遠心分離デバイス。
【請求項１９】
前記状態は、状態指示および通知指示のうちの少なくとも１つを用いて表示される、請求項１３に記載の遠心分離デバイス。
【請求項２０】
前記ハンドヘルドコンピューティングデバイスは、運転ステップの終了前の所定の時間に可聴アラームを生成し、前記運転ステップの終了をユーザに通知する、請求項１３に記載の遠心分離デバイス。
【手続補正２】
【補正対象書類名】明細書
【補正対象項目名】００１５
【補正方法】変更
【補正の内容】
【００１５】
さらなる側面は、遠心分離機を操作する方法であり、方法は、遠心分離機動作のワークフロー図を表示することであって、ワークフロー図は、装填ステップ指標、運転ステップ指標、および除去ステップ指標を含む、ことと、装填ステップ指標が強調表示され、ロータが第１の速度で回転している間に、サンプルをロータの中へ装填することと、運転ステップ指標が強調表示されている間に、第２の速度でロータを回転させることと、除去ステップ指標が強調表示され、ロータが第３の速度で回転している間に、ロータからサンプルを除去することとを含む。
本発明は、例えば、以下を提供する。
（項目１）
遠心分離機を操作する方法であって、前記方法は、
遠心分離機動作のワークフロー図を表示することであって、前記ワークフロー図は、少なくとも装填ステップ指標、運転ステップ指標、および除去ステップ指標を含む、ことと、
前記装填ステップ指標が強調表示され、前記遠心分離機のロータが第１の速度で回転している間に、サンプルを前記遠心分離機の前記ロータの中へ受け取ることと、
前記運転ステップ指標が強調表示されている間に、第２の速度で前記ロータを回転させることと、
前記除去ステップ指標が強調表示され、前記ロータが第３の速度で回転している間に、前記ロータからサンプルを除去することと
を含む、方法。
（項目２）
強調表示することは、照明、色の区別、および点滅速度変動のうちの１つを伴う、項目１に記載の方法。
（項目３）
前記ステップ指標は、ゾーン遠心分離のステップに対応する、項目１に記載の方法。
（項目４）
前記ロータは、チャンバの中に配置され、前記チャンバは、アクセスドアを含み、サンプルを前記ロータの中へ受け取ることは、前記ロータが回転している間、前記アクセスドアを開いた状態にすることを含む、項目１に記載の方法。
（項目５）
前記ロータの中への前記サンプルの受け取り中に、ユーザが、前記サンプルを前記ロータの中へ手動で装填する、項目４に記載の方法。
（項目６）
前記アクセスドアが開いており、前記ロータが回転している間に、可聴警告を起動することをさらに含む、項目４に記載の方法。
（項目７）
前記ロータは、チャンバの中に配置され、前記チャンバは、アクセスドアを含み、第２の速度で前記ロータを回転させる前記ステップは、前記ロータが前記第２の速度で回転している間、前記アクセスドアを施錠した状態にすることを含み、前記第２の速度は、前記第１の速度よりも速い、項目１に記載の方法。
（項目８）
前記ロータは、チャンバの中に配置され、前記チャンバは、アクセスドアを含み、前記ロータからサンプルを除去することは、前記ロータが前記第３の速度で回転している間、前記アクセスドアを開いた状態にすることを含む、項目１に記載の方法。
（項目９）
前記第１の速度および前記第３の速度は、３，０００ｒｐｍ以下である、項目１に記載の方法。
（項目１０）
第２の速度で前記ロータを回転させることは、真空下で行われる、項目１に記載の方法。
（項目１１）
ゾーン遠心分離動作を行うための遠心分離デバイスであって、前記遠心分離デバイスは、
空洞を有するゾーンロータであって、前記ゾーンロータは、サンプルを前記空洞内に含まれている密度勾配上へ受け取るように構成されている、ゾーンロータと、
ユーザインターフェースを表示するように適合されている表示デバイスと、
処理デバイスであって、前記処理デバイスは、
前記ゾーンロータの回転を制御して、装填モード、運転モード、および除去モードで前記ゾーンロータを動作させることと、
前記表示デバイスを用いてユーザインターフェースを生成することと
を行うように適合されている、処理デバイスと
を備え、
前記ユーザインターフェースは、前記ゾーンロータが前記装填モードで動作しているときに装填ステップ指標を表示し、前記ゾーンロータが前記運転モードで動作しているときに運転ステップ指標を表示し、前記ゾーンロータが前記除去モードで動作しているときにス除去モードを表示する、遠心分離デバイス
（項目１２）
前記ロータは、前記装填モードで動作するときに第１の速度で動作し、前記運転モードで動作するときに第２の速度で動作し、前記第２の速度は、前記第１の速度よりも速い、項目１１に記載の遠心分離デバイス。
（項目１３）
遠心分離デバイスであって、前記遠心分離デバイスは、
チャンバと、
前記チャンバの中に配置されているロータと、
表示デバイスと、
処理デバイスであって、前記処理デバイスは、前記遠心分離デバイスの状態を識別するユーザインターフェースを前記表示デバイス上で生成するように動作する、処理デバイスと
を含む、遠心分離デバイスと、
前記遠心分離デバイスとデータ通信しているハンドヘルドコンピューティングデバイスであって、前記ハンドヘルドコンピューティングデバイスは、
ハンドヘルド表示デバイスと、
ハンドヘルド処理デバイスであって、前記ハンドヘルド処理デバイスは、前記遠心分離デバイスの前記状態を識別するハンドヘルドユーザインターフェースを前記ハンドヘルド表示デバイス上で生成するように動作する、ハンドヘルド処理デバイスと
を含む、ハンドヘルドコンピューティングデバイスと
を備えている遠心分離システム。
（項目１４）
前記ハンドヘルドユーザインターフェースは、ユーザによって入力されるコマンドを受信するように適合され、前記ハンドヘルドコンピューティングデバイスは、前記遠心分離デバイスと通信し、前記コマンドに従って前記遠心分離デバイスを制御する、項目１３に記載の遠心分離システム。
（項目１５）
前記遠心分離デバイスは、複数の動作モードで動作し、前記ハンドヘルドコンピューティングデバイスによる前記遠心分離デバイスの制御は、現在の動作モードに基づいて制限される、項目１４に記載の遠心分離システム。
（項目１６）
前記ハンドヘルドコンピューティングデバイスによる前記遠心分離デバイスの制御は、前記遠心分離機がロータアクセス可能動作モードであるときに制限される、項目１５に記載の遠心分離システム。
（項目１７）
前記ハンドヘルドコンピューティングデバイスによる前記遠心分離デバイスの制御は、前記遠心分離機がゾーン遠心分離動作モードで動作しているときに制限される、項目１５に記載の遠心分離システム。
（項目１８）
前記ハンドヘルドユーザインターフェースは、前記ハンドヘルドコンピューティングデバイスによる前記遠心分離機の制御が、前記現在の動作モードに基づいて制限されていることをさらに示す、項目１５に記載の遠心分離システム。
（項目１９）
前記状態は、状態指示および通知指示のうちの少なくとも１つを用いて表示される、項目１３に記載の遠心分離システム。
（項目２０）
前記ハンドヘルドコンピューティングデバイスは、前記運転ステップの終了前の所定の時間に可聴アラームを生成し、運転ステップの終了をユーザに通知する、項目１３に記載の遠心分離システム。